(57)【要約】【課題】  ファン速の調整にて対応可能な限り所定温度以上の吹出温度を得ることができる空気調和機を得る。【解決手段】  冷凍サイクルからなり、冷暖房能力を発生する冷房能力発生装置、室内ファンモーターにより駆動される室内ファン、熱交換器の配管温度を検知する配管温度検知センサ及び配管温度検知センサの出力に基づいて室内ファンモーターを制御する室内制御回路を備え、室内制御回路は、室内ファンの現在のファン速での経過時間が所定の経過時間tikou kyokaを越えたときに（Ｓ５）、配管温度検知センサ１で検出された配管温度が所定の第１のしきい値Tikou up（Ｓ７）以上のときはファン速を上げ、配管温度が第１のしきい値未満で配管温度が第１のしきい値より低い所定の第２のしきい値Tikou down未満のとき（Ｓ８）にファン速を下げる。【選択図】        図３
2005274052.tif 000002
【特許請求の範囲】
【請求項１】
冷凍サイクルからなり、冷暖房能力を発生する冷房能力発生装置と、
室内ファンモーターにより駆動される室内ファンと、
熱交換器の配管温度を検知する配管温度検知センサと、
この配管温度検知センサの出力に基づいて前記室内ファンモーターを制御する制御手段と、
を備え、
前記制御手段は、前記室内ファンの現在のファン速での経過時間が所定の経過時間を越えたときに、前記配管温度検知センサで検出された前記配管温度が所定の第１のしきい値以上のときは前記ファン速を上げ、前記配管温度が前記第１のしきい値未満で前記配管温度が前記第１のしきい値より低い所定の第２のしきい値未満のときに前記ファン速を下げることを特徴とする空気調和機。
【請求項２】
配管温度の第１、第２のしきい値を変更する設定手段を備えたことを特長とする請求項１記載の空気調和機。
【請求項３】
吸込空気温度を検知する吸込空気温度センサを備え、
配管温度の第１、第２のしきい値を吸込空気温度センサで検出された吸込空気温度に基づいて変更することを特長とする請求項１記載の空気調和機。
【請求項４】
吸込空気温度を検知する吸込空気温度センサを備え、
配管温度の第１、第２のしきい値を吸込空気温度センサで検出された吸込空気温度と配管温度検知センサで検出された配管温度との温度差に基づいて変更することを特長とする請求項１記載の空気調和機。
【請求項５】
吹出温度を所定温度に保つことを優先するか、風量を設定値に保つことを優先するかを選択する選択手段を備えたことを特長とする請求項１〜４のいずれかに記載の空気調和機。
【請求項６】
設定風量に対して、吹出温度を所定温度に保つことを優先とするため、風量を低減させているときに、その動作を表示する表示部を備えたことを特長とする請求項５記載の空気調和機。
【発明の詳細な説明】
【技術分野】
【０００１】
この発明は、空気調和機の室内ファン制御に係り、さらに詳しくは暖房運転時に室内ファン制御を行い冷風感の低減、または、快適な環境形成力の向上を図るようにした空気調和機に関するものである。
【背景技術】
【０００２】
従来の空気調和機における暖房運転時の冷風感防止例としては、暖房運転開始時に吹出し温度を検出し、この吹出し温度が所定温度に到達するまでは室内ファンを低回転で運転し、吹出し温度が所定温度に達した後、室内ファンを設定風量まであげるようにすることで冷風感を低減しようとしているしている（例えば、特許文献１参照）。
【０００３】
また、室内ファンを運転及び停止を繰り返すように制御し、温度の高い吹出風が間欠的に出すことで冷風感を感じることなく、快適性を向上しようとしているものもある（例えば、特許文献２参照）。
【０００４】
【特許文献１】特開昭６０−１２０１３５号公報（第２頁右欄３〜１１行、図３）
【特許文献２】特開２００１−３３６８０８号公報（請求項２、第５頁  図４）
【発明の開示】
【発明が解決しようとする課題】
【０００５】
従来の空気調和機の室内ファン速制御では、ユーザーの風量ノッチ設定が優先されている。自動ファン速制御は設定温度と室温の温度差により風量を変化させることで、発生する空調能力を調整する機能を有するが、ファン速をユーザーがマニュアル設定した場合は既知の冷風防止ファン速制御解除後はユーザー設定ファン速を優先する。すわち、暖房運転時の吹出温度については吹出し温度が低い時は微風、所定温度を越える場合はユーザーが設定するファン速となるように制御されている。このような制御では、特に外気温度が低く暖房能力が低下する状態において風量優先に運転した場合、外気温なりの暖房能力が発生していても、暖房機器としては不適な温度の風を吹出しているという問題があった。
そして、ある地方では、空気調和機の吹出口に手をかざし、外気温度に関係なく温風が出ているかどうかで空気調和機の好悪しを判断する風潮があり、低外気温の発生し易い当該地方においては、正常な機器を不良品と判断されてしまうケースもあった。
【０００６】
この発明は、上記のよう課題を解決するためになされたもので、第１の目的は、ファン速の調整にて対応可能な限り所定温度以上の吹出温度を得ることができる空気調和機を得るものである。
【０００７】
また、第２の目的は希望する吹出し温度を使用者が設定可能とすることができる空気調和機を得るものである。
【０００８】
また、第３の目的は暖房の運転中、冷風防止解除直後時や、低外気運転時に、所定温度以上の吹出温度を確保しつつ、室内の環境形成も考慮した室内ファン制御をすることができる空気調和機を得るものである。
【０００９】
また、第４の目的は室内の環境形成も考慮しつつ、冷風感を低減した室内ファン制御をすることができる空気調和機を得るものである。
【００１０】
また、第５の目的はこのような機器においても、吹出温度優先か吹出風量優先かを使用者が自らの好みによって選択可能とすることができる空気調和機を得るものである。
【００１１】
また、第６の目的はこのような機器において、吹出温度優先制御によって、室内風量が使用者設定値よりも低い方へ変更された場合、吹出温度制御動作中であることを使用者に知らしめることができる空気調和機を得るものである。
【課題を解決するための手段】
【００１２】
この発明に係る空気調和機は、冷凍サイクルからなり、冷暖房能力を発生する冷房能力発生装置と、室内ファンモーターにより駆動される室内ファンと、熱交換器の配管温度を検知する配管温度検知センサと、この配管温度検知センサの出力に基づいて前記室内ファンモーターを制御する制御手段と、を備え、前記制御手段は、前記室内ファンの現在のファン速での経過時間が所定の経過時間を越えたときに、前記配管温度検知センサで検出された前記配管温度が所定の第１のしきい値以上のときは前記ファン速を上げ、前記配管温度が前記第１のしきい値未満で前記配管温度が前記第１のしきい値より低い所定の第２のしきい値未満のときに前記ファン速を下げるものである。
【発明の効果】
【００１３】
この発明の空気調和機において、制御手段は、室内ファンの現在のファン速での経過時間が所定の経過時間を越えたときに、配管温度検知センサで検出された前記配管温度が所定の第１のしきい値以上のときは前記ファン速を上げ、前記配管温度が前記第１のしきい値未満で前記配管温度が前記第１のしきい値より低い所定の第２のしきい値未満のときに前記ファン速を下げるので、吹出温度を所定温度以上に保つことができる。
また、室内ファン速変更後、次のファン速変更許可までの時間経過判断をもつようにしたので頻繁なファン速変動による聴感的違和感を軽減することができる。
【発明を実施するための最良の形態】
【００１４】
実施の形態１．
図１はこの発明の実施の形態１における空気調和機の室内機を示す断面図、図２は室内機の室内ファンの制御回路構成を示すブッロク図、図３は空気調和機の室内機の室内ファンの制御動作を示すフローチャート、図４は空気調和機の室内ファンの制御動作を示す説明図である。
図１において、室内機は、本体２０、吸込口２２を有する上部パネル２１、前面のグリル１７、フィルター１８、本体下部に設けられた吹出口２３、吹出口２３に設けられたベーン１９、吸込口２２と吹出口２３の間に設けられた室内熱交換器１５と室内室内ファン１６が設けられている。また、室内熱交換器１５に設けられ室内熱交換器１５の配管温度を検知する配管温度検知センサ１が設けられている。
【００１５】
図２において、配管温度検知センサ１の出力信号はＡ／Ｄ変換回路２を介して室内機制御回路７に入力される。また、リモコン５からの信号は入力回路６を介して室内機制御回路７に入力される。室内機制御回路７には制御のためのしきい値をメモリするしきい値メモリ１３を有し、室内機制御回路７は配管温度検知センサ１、リモコン５の信号としきい値メモリ１３のしきい値に基づいて室内ファンＳＳＲ出力回路８を介して室内ファンモータ９の回転数を制御し、室内室内ファン１６を回転させる。室内ファン回転数Ｆ／Ｂ回路１０は室内ファンモータ９の回転数を室内機制御回路７にフィードバックする。
また、しきい値メモリ１３には、室内室内ファン１６の風量変更を許可する経過時間しきい値と、室内室内ファン１６の風量変更を許可する配管温度しきい値とがメモリされている。また、制御手段である室内機制御回路７は、室内機制御全般の制御を行っているマイクロコンピューターであり、図示してないが、圧縮機等の制御も行い、また、経過時間を計測するタイマーも備えている。
【００１６】
次に、この発明の実施の形態１における空気調和機の室内ファン制御動作について図３により説明する。
空気調和機の温調制御部により圧縮機がｏｎの状態となり、所定の冷風防止保護動作が完了した状態から本発明の制御状態が開始されるのであるが、まず、ステップＳ１では冷風防止中かどうか判断し冷風防止中のときは、室内ファン１６を冷風防止ファン速とする（ステップＳ２）。冷風防止中でないときはステップＳ３に進み、ステップＳ３では、ユーザーがファン速設定変更手段であるリモコン５を操作した場合、まず一旦はユーザーが設定したファン速を優先し、ファン速を決定する（ステップＳ４）。ユーザー要求がないときは、ステップＳ５に進む。ステップＳ５では、現状のファン速が予め設定された風量変更を許可する経過時間しきい値tikou kyoka秒経過したかどうかを判定する。本制御では、一度新たなファン速に設定が変更された場合は、最低限、このtiko kyoka秒の経過が無い限り現在のファン速のままで（ステップＳ６）ファン速の移行を認めない。
【００１７】
ステップＳ５において経過時間しきい値tikou kyoka秒経過した後、ステップＳ７において管温の状態がファン速移行条件を満たしているか判定する。管温が風量変更を許可する配管温度の第１のしきい値Tikou up以上であればファン速のＵＰを許可する（ステップＳ１０）。このとき目標ファン速（＝ユーザー設定ファン速）を以ってＵＰ後ファン速の上限とする。ステップＳ７において管温が第１のしきい値Tikou up未満であればステップＳ８に進み、再度管温の状態を判定する。ステップＳ８において、管温が風量変更を許可する配管温度の第２のしきい値Tikou down未満であれば、ファン速のＤＯＷＮを許可する（ステップＳ９）。このとき、機器側が定める圧縮機ＯＮ中の暖房運転最低ファン速を以ってＤＯＷＮ後ファン速の下限とする。ステップＳ８において管温が第２のしきい値Tikou downを越えている場合は現状ファン速を維持する（ステップＳ６）。
以上の動作は繰り返し行われる。そして、次のサイクルではステップＳ３のユーザーによるファン速要求はイベントとして  先回で完了しており、ステップＳ５へ進む。
【００１８】
なお、ステップＳ２の「冷風防止ファン速」は室内機に予め設定された回転数で、室内機のファン速としては最小のノッチになる。また、ステップＳ４の「ユーザー要求ファン速」とはリモコン等の入力装置でユーザーが任意に設定できるファン速のことで、通常、Ｈｉ、Ｍｅ、Ｌｏの３段階であり、ステップＳ６の「ファン速維持」は状態を示すもので、現在運転中のファン速ノッチを維持する（変更しない）という意味である。
【００１９】
図４は以上の室内ファン１６の制御動作の例を示しており、最初の移行許可時間ｔ１経過後（ステップＳ５のｔikou kyoka経過時間後）に、配管温度が第１のしきい値Tikou up以上なので、ファン速を現ファン速からファン速ＵＰに一段上げている。そして、ｔ１からｔikou kyoka経過前は、この現ファン速であるファン速ＵＰを維持する。
ｔikou kyoka経過してｔ２となると、配管温度がTikou down未満となるのでファン速は現ファン速のファン速ＵＰからファン速ｄｏｗｎと一段下がる。
このように、暖房運転開始時はこの制御動作が繰り返し行われる。
【００２０】
なお、暖房運転開始時は圧縮機が段々温まってきて吹きだし温度が上昇するとファン速ｕｐ条件が成立し、ファン速変更後、ファン速のＵＰにより吹出し温度のアンダーシュートが起こり、ファン速Ｄｏｗｎ条件が成立し、ハンチングしているように示されているが、ユニット側が十分安定してくれば、過度のアンダーシュートやオーバーシュートは起きず（実際はこれらがあってもハンチングしないような定数を設定）吹きだし温度を満足できないファン速に収束する。
また、配管温度のしきい値をTikou up、Tikou downに分けることで、ハンチングを防ぐことができる。
【００２１】
以上のように、ユーザーがファン速をマニュアル設定した場合においても、常に管温によりファン速を制御するようにしているので、低外気条件等においても高めの吹出温度を得ることができる。
また、ファン速変更後は経過時間しきい値tikou kyoka秒間はファン速を維持するため、頻繁なファン速変更による聴感の煩わしさの発生を防止することができる。
【００２２】
実施の形態２．
本実施の形態は、実施の形態１の経過時間しきい値と、配管温度しきい値の定数の設定により機器の制御特性を容易に変更することができるようにしたものである。
構成、動作は実施の形態１と同じであり説明を省略する。
【００２３】
表１は経過時間しきい値と、配管温度しきい値の制御定数表、表２は定数設定例を示す表である。
【００２４】
【表１】
2005274052.tif 000003
【００２５】
【表２】
2005274052.tif 000004
【００２６】
表１は通常のパターンであり、制御定数は、風量アップ許可温度Tikou up、風量ダウン許可温度Tikou down、風量移行許可時間tikou kyoka、風量移行量ikou Nとしている。
表２において、例えば、Tikou upを通常パターンＡのように３５℃と高めに設定することで、より冷風防止重視に設定することができる。また、経過時間しきい値tikou  kyokaを６０秒と短く設定すると、即応性が高くすることができ、目標ファン速への到達時間が短くなり、暖房能力を重視する設定にできる。また、Tikou upを通常パターンＢのように２２℃と低めに設定するとより暖房能力重視、ユーザー設定ファン速重視の設定とすることができる。
また、風量移行量ikou Nを通常パターンＡのように１ノッチのように大きく設定すれば、制御は簡素化されソフトウエアの信頼性が高くなる。なお、ノッチはファン速のＨｉ、Ｍｅ、Ｌｏ等であり、予め設定されたファン速しか使用しないので制御は簡素化される。
また、風量移行量ikou Nを通常パターンＢのように５０rpmのように小さく設定すれば吹出温度制御性は高くなり快適性を向上することができる。
【００２７】
なお、第１のしきい値Tikou upを高めに設定することは吹出し温度を高い方へ振るための手段であり、外気温度に対して目標の吹出し温度が得られないときはファン速を上げないように制御する。ユニット側で能力可変しない場合、ある外気温度において吹きだし温度はファン速に一次関数の関係があり、ファン速低い＝吹出し温度高い、ファン速高い＝吹出し温度高いとなる。
また、第１のしきい値Tikou upを低めに設定すると、ファン速を高い方に振れ、ファン速が高い＝風量多い＝能力高いということになり、吹出し温度（＝快適性）より暖房能力（＝環境形成）にするという設定になる。
また、表２の定数は  ユニット（機器）の製造時に予め設定される。
【００２８】
以上のように、定数の変更により機器の特性が設定できるため、機器の特性を容易に変更ですることができる。
【００２９】
実施の形態３．
この発明の実施の形態１、２は暖房運転時に所定温度以上の吹出温度を確保するのが目的であるので、通常１水準では、表２の通常パターンＡのような設定を用いることでその効果を高く発揮するものである。そして、実施の形態２は、制御定数設定により機器の特性を用意に変えられるものであるが、本実施の形態はユーザーの使用シーンに対応するように予め複数の定数を機器側室内機制御回路７のメモリ１３に用意するものである。
【００３０】
構成、動作は実施の形態１と同じであり説明を省略するが、実施の形態１の図１で示したしきい値メモリ１３に複数の定数設定を用意することで対応可能とする。
【００３１】
以上のように、予め複数の設定をしきい値メモリ１３にメモリするようにしているので、使用シーンに応じて現地サービスにて設定を変更することができる。
特に海外向けなどで、１つの定数では市場使用環境とマッチできないような場合において有効となる。
【００３２】
実施の形態４．
以上の実施の形態１〜３では、吹出温度を優先するファン制御の基本となるものを説明したが、実施の形態４はにさらに暖房運転としての環境形成について加味したものである。
図５はこの発明の実施の形態４における空気調和機の構成を示すブッロク図、図６は空気調和機の室内機の室内ファンの制御動作を示すフローチャート、図７は制御しきい値の演算フローチャートである。
図５は実施の形態１の図２に室温を検知する吸込空気温度検知センサ３と吸込空気温度検知セン３の出力信号をＡ／Ｄ変換するＡ／Ｄ変換回路４を追加したものであり、吸込空気温度センサ３のアナログ出力はＡ／Ｄ変換回路４によりデジタル信号に変換され、室内機制御回路７で演算処理される。他の構成は同じなので説明を省略する。
【００３３】
次に、動作について図６、図７により説明する。
図６は実施の形態１の図３にステップＳ１１に制御しきい値の演算を追加したものであり、他は同じなので説明を省略し、ステップＳ１１で行われる制御しきい値の演算を図７で説明する。ステップＳ２０では、吸込空気温度（室温）検知センサ３で検出された吸込温度が予め定めた温度Ｃ２未満のときはしきい値ｙ４とし（ステップＳ３０）、温度Ｃ２以上のときはステップＳ２１に進み、ステップＳ２１では吸込温度が予め定めた温度Ｂ２未満のときはしきい値ｙ３とし（ステップＳ３１）、温度Ｂ２以上のときはステップＳ２２に進み、ステップＳ２２では吸込温度が予め定めた温度Ａ２未満のときはしきい値ｙ２とし（ステップＳ３２）、温度Ａ２以上のときはしきい値ｙ１とし（ステップＳ３３）とする。なお、Ｃ２＜Ｂ２＜Ａ２である。
【００３４】
以下図６のステップＳ５以降はここで求められた制御しきい値によってファン速を決定する。表３に制御定数表を示す。表４に制御定数の１例を示す。
【００３５】
【表３】
2005274052.tif 000005
【００３６】
【表４】
2005274052.tif 000006
【００３７】
以上のように、吸込温度によってファン速変更のしきい値である第１のしきい値Tikou up,第２のしきい値Tikou down、経過時間しきい値tikou kyoka、ikou_Nを変更するようにしているので、例えば、室温が低い状態では室内の暖房環境形成のため、吹出し温度が多少低くても設定ファン速通りに風量を出していくことができる。こうすることで、室温を形成する暖房運転能力を発揮することができき、速暖性能を向上させることができる。また、吸込み温度と吹出し温度の差を保つことができるため、温風が出ていないといったユーザーの不満感を与えることを抑えることができる。
【００３８】
実施の形態５．
実施の形態４は、吸込み温度を加味して、暖房室内環境形成にも考慮した制御方法であるが、本実施の形態はさらに暖房環境形成を加味しながらも冷風感を抑制するものである。
構成は、実施の形態４の図５と同じであり説明を省略する。
【００３９】
図８はこの発明の実施の形態５における空気調和機の室内ファンの制御動作における制御しきい値の演算フローチャートである。
【００４０】
次に、動作について図８により説明する。
動作は実施の形態４の図６と同じであるがステップＳ１１の制御しきい値演算内容がことなり他は同じなので説明を省略し、ステップＳ１１で行われる制御しきい値の演算を図８で説明する。
ステップＳ４０では、管温検知センサ１で検知された管温と吸込空気温度（室温）検知センサ３で検出された吸込温度との温度差が予め定めた温度Ｂ１未満のときはしきい値ｙ３とし（ステップＳ５０）、温度Ｂ１以上のときはステップＳ４１に進み、ステップＳ４１では温度差が予め定めた温度Ａ１未満のときはしきい値ｙ２とし（ステップＳ５１）、温度Ａ１以上のときはしきい値ｙ１とし（ステップＳ５２）とする。なお、Ａ１＜Ｂ１である。
【００４１】
以下図６のステップＳ５以降はここで求められた制御しきい値によってファン速を決定する。表５に制御定数表を示す。表６に制御定数の１例を示す。
【００４２】
【表５】
2005274052.tif 000007
【００４３】
【表６】
2005274052.tif 000008
【００４４】
表６において、Ａ１は１０ｄｅｇ、Ｂ１は２０ｄｅｇとする。しきい値Ｙｌは管温と吸込み温度の相対差が１０ｄｅｇも取れない状況なので、暖房能力としては非常に低い状態となる。外気温度が非常に低い状態または室温が非常に高い状態である。
このような場合、冷風感を与えないために吹出し温度の絶対値が必要となるため、ＵＰ許可温度を３５℃と高く設定している。
しきい値Ｙ２の状態は、管温と吸込み温度の相対差が１０℃〜２０℃で  暖房能力としては若干低い状態となる。しかし、吹出し温度の絶対値として３０℃とできる状態ではす境形成のため、息ｌをＵＰする方向で、ＵＰ許可温度を３０℃程度の設定としている。
しきい値Ｙ３では吸込み温度と吹出し温度の差が十分にあり、暖房能力としては十分にある状態なので、積極的に風量を出すようにするのが望ましい。そのため、ＵＰ許可温度を２０℃と低めに設定している。
【００４５】
制御動作において、室温が高い場合には、管温が低い状態は即冷風感につながるため、移行許可時間を短くすることで即応性を確保することができる。
また、管温が低い場合において風量移行量を多く設定するとファン速変化後の吹出し温度変化が大きくなってしまうため、表６ではikou Nを１ノッチとしているがikou Nを小さく設定することで、吹出し温度の制御性(ユーザーの快適性)を向上することができる。
【００４６】
以上のように、管温と吸込温度の温度差によってファン速を変更するしきい値である第１のしきい値Tikou up 、第２のしきい値Tikou down、経過時間しきい値tikou kyoka、ikou Nを変更するようにしているので、例えば吸込み温度に対して十分に吹出し温度が高い状態においては、管温が低くても設定ファン速通りに風量を出していくことができる。ここで、吹出し温度と管温は同じであり、管温が低いということは通常の暖房で高い状態より低いということである。 こうすることで、室温に対して十分暖められた空気を吹出すことができるため、温風が出ていないといった不満感を与えることがない。また、実施の形態４でも同様に言えることであるが、経過時間しきい値tikou kyokaやikou Nをしきい値毎に変更することで、室温が十分高くなった状態でのファン速変更と、室温が低い状態でのファン速変更の状態を変更することができる。
【００４７】
なお、環境形成を考えた場合、高い吹出し温度にこだわりすぎるといつまでたっても風量を得ることができないが、暖房能力は風量に比例して大きくなるので、本実施の形態は吹出し温度の絶対値ではなく、吸い込み温度との相対値に着目したものである。
相対的に高い吹出し温度が得られていれば、暖房能力として環境形成力があるので、風量をＵＰしていくメリットがある。
【００４８】
実施の形態６．
実施の形態１〜３では、制御定数を機器側が予め設定するようにしたものであるが、本実施の形態は多様なユーザーの使用シーンに対応するような場合に定数をユーザーが選択できるようにしたものである。
図９はこの発明の実施の形態６における空気調和機の室内ファンの風温切換の優先を切りかえる入力装置の正面図、図１０はこの発明の実施の形態６における空気調和機の室内ファンの制御動作フローチャートである。
図９はユーザーが制御定数を選択する場合に用いるインターフェイスの一例を示しており、具体的にはリモコンに吹出温度優先を選択する入力キーを設けたものである。この場合、図２のしきい値メモリ１３にはユーザーによって選択される複数の設定が機器側に予め用意されている。そしてユーザーは使用シーンに応じて、吹出温度優先か、風量設定優先かを選択する。全体構成は実施の形態１の図２と同じなので説明を省略する。
【００４９】
次に動作について図１０により説明する。図１０は実施の形態６の制御フローチャート図６にステップＳ１２を追加したものでありステップＳ１２においてユーザーがインターフェースにて選択した設定を判定する。そして風量優先の場合は、ユーザー設定ファン速とする（ステップＳ１３）。風量優先でない場合はステップＳ３に進む。他のステップは図６と同じなので説明を省略する。
【００５０】
以上のように、ユーザーが自らの好みに応じて設定を自由に変更できるようにしているので、多種多様な使用シーンに対応することができる。
【００５１】
実施の形態７．
実施の形態１〜６では、吹出温度優先制御を実施した場合、ファン速制御は機器が決定するようにしたものであるが、本実施の形態は現在温風優先制御によりユーザーが設定したファン速とは異なる状態になっているかどうかを知らしめることできるようにしたものである。
図１１はこの発明の実施の形態７における空気調和機のブロック図、図１２は室内機の表示部の正面図、図１３はこの発明の実施の形態７における空気調和機の室内ファンの制御動作フローチャートである。
【００５２】
図１１において実施の形態４の図５において表示点灯出力回路１１と表示部１２を追加しており、他の構成は同じなので説明を省略する。図１２において表示部１２に、風温制御によりファン速がユーザー設定よりＤＯＷＮしている場合に点灯するＬＥＤ２５を設けている。
【００５３】
次に動について図１２により説明する。図１２は実施の形態６の制御フローチャート図１０にステップＳ１４を追加したものであり、風温優先制御に設定され、ステップＳ９おいてファン速ＤＯＷＮとなった場合、ステップＳ１４にてファン速ＤＯＷＮが実施されたことを表示部１２のＬＥＤ２５に表示出力する。他のステップは図６と同じなので説明を省略する。
【００５４】
以上のように、．制御状態をユーザーに知らしめることができるので、制御により温風優先が実施されていることをアピールできる。また、ファン速ＤＯＷＮが機器の故障であるのかというような不安を与えることがなくなる。
【図面の簡単な説明】
【００５５】
【図１】この発明の実施の形態１における空気調和機の室内機を示す断面図である。
【図２】この発明の実施の形態１における空気調和機の室内機の制御回路構成を示すブロック図である。
【図３】この発明の実施の形態１および実施の形態５における空気調和機の室内機の制御方法を示すフローチャートである。
【図４】この発明の実施の形態１における空気調和機の室内ファン制御動作を示す説明図である。
【図５】この発明の実施の形態４における空気調和機の室内機の制御回路構成を示すブロック図である。
【図６】この発明の実施の形態４における空気調和機の室内機の制御方法を示すフローチャートである。
【図７】この発明の実施の形態４におけるしきい値演算のサブルーチンを示すフローチャートである。
【図８】この発明の実施の形態５におけるしきい値演算のサブルーチンを示すフローチャートである。
【図９】この発明の実施の形態６における風温切換の優先を切りかえる入力装置の正面図である。
【図１０】この発明の実施の形態６における空気調和機の室内機の制御方法を示すフローチャートである。
【図１１】この発明の実施の形態７における空気調和機の室内機の制御回路構成を示すブロック図である。
【図１２】この発明の実施の形態７における空気調和機の室内機表示部を示す図である。
【図１３】この発明の実施の形態７におけ空気調和機の室内機の制御方法を示すフローチャートである。
【符号の説明】
【００５６】
１  配管温度検知センサ、３  吸込空気温度センサ、７  室内機制御回路、９  室内ファンモーター、１２  表示ランプ、１３  メモリ、１５  熱交換器、１６  室内ファン。
【図１】
2005274052.tif 000009
【図２】
2005274052.tif 000010
【図３】
2005274052.tif 000011
【図４】
2005274052.tif 000012
【図５】
2005274052.tif 000013
【図６】
2005274052.tif 000014
【図７】
2005274052.tif 000015
【図８】
2005274052.tif 000016
【図９】
2005274052.tif 000017
【図１０】
2005274052.tif 000018
【図１１】
2005274052.tif 000019
【図１２】
2005274052.tif 000020
【図１３】
2005274052.tif 000021